(57)【要約】【課題】オリジナリティを求める購入者を満足させることができる、木棺および木棺の製造販売方法を提供する。【解決手段】故人に関連する模様が木棺１の外表面に付されることにより、その木棺１が購入者ごとのオリジナルな商品となるので、オリジナリティを求める購入者を満足させることができる。しかも、その模様が木棺１の外表面を直接加工することにより付されるので、模様が印刷されたシートを木棺１の外表面に貼着した場合とは異なり、木棺の外表面を構成する天然木の表面の質感を損ねることがない。そのため、木棺１が高級な天然木棺であっても、模様が付されることにより高級感が低下するおそれはない。【選択図】図２
2016195674.tif 000002
【特許請求の範囲】
【請求項１】
少なくとも外表面が天然木からなる木棺であって、
レーザビームまたはインクを用いて前記外表面を直接加工することにより、当該木棺に納められる故人に関連する模様が付されている、木棺。
【請求項２】
前記模様は、前記故人の名の少なくとも一部を示す文字を含む、請求項１に記載の木棺。
【請求項３】
少なくとも外表面が天然木からなる木棺を販売する方法であって、
インターネット上に置かれたサーバから前記木棺の購入者の購入者端末に対して、少なくとも模様情報を含む情報の入力を要求する要求ステップと、
前記購入者端末から入力された情報を、前記サーバを経由して、前記木棺の販売者の販売者端末が受信する受信ステップと、
前記販売者端末が受信した情報から前記模様情報を抽出して、その抽出した前記模様情報を含む指令を前記販売者端末から加工機に送信し、前記加工機に前記木棺の外表面をレーザビームまたはインクを用いて直接加工させて、当該外表面に前記模様情報に応じた模様を付す加工ステップとを含む、製造販売方法。
【請求項４】
前記要求ステップで入力を要求する情報には、前記木棺の配送先情報が含まれ、
前記販売者端末が受信した情報から前記配送先情報を抽出して、その抽出した前記配送先情報を含む印刷指令をプリンタに送信し、前記プリンタに前記配送先情報に係る配送先を用紙に印刷させる印刷ステップをさらに含む、請求項３に記載の製造販売方法。
【発明の詳細な説明】
【技術分野】
【０００１】
本発明は、木棺および木棺の製造販売方法に関する。
【背景技術】
【０００２】
日本では、火葬の習慣から、遺体を収める棺に、木棺が広く用いられている。
【０００３】
木棺は、上面が開放された箱型の本体と、本体の上面を開閉する蓋とからなる。木棺には、材質により分別される種類として、檜、桐または樅などの天然木を用いた天然木棺と、合板を用いたフラッシュ棺とがある。また、木棺には、蓋の形状により分別される種類として、蓋が平板からなる平棺、蓋が上側に凸湾曲した形状のアール棺、蓋の周縁部に段が付けられたインロー棺などがある。さらには、本体および／または蓋に彫刻などの装飾を施した棺もある。
【０００４】
しかしながら、木棺の材質および形状などを組み合わせても、その種類には限りがある。そのため、現在提供されている木棺は、木棺の購入者（たとえば、木棺に収められる遺体の遺族）の要望に必ずしも応えられるものではなく、木棺にオリジナリティを求める購入者を満足させることができない。
【０００５】
棺の装飾を多様化する手法として、購入者に予め用意された複数の装飾模様の中から所望する装飾模様を選択させ、その選択された装飾模様が印刷されたシートを棺の本体や蓋に貼着することが提案されている（たとえば、特許文献１参照）。また、この提案では、装飾模様の一部に購入者や故人の好きな言葉や名前を含めることにより、その言葉や名前を棺に表示することができるとされている。
【０００６】
ところが、かかるシートが木棺に貼着されると、木材の表面の質感が損なわれてしまう。とくに、天然木棺では、天然木の表面の質感が損なわれると、天然木による高級感が低下してしまう。
【先行技術文献】
【特許文献】
【０００７】
【特許文献１】特開２００５−１０２８００号公報
【発明の概要】
【発明が解決しようとする課題】
【０００８】
本発明の目的は、オリジナリティを求める購入者を満足させることができる、木棺および木棺の製造販売方法を提供することである。
【課題を解決するための手段】
【０００９】
木材の外表面を直接加工する技術は、従来から種々知られているが、木棺において、その外表面を直接加工する技術は、手彫りまたは機械彫りによる彫刻のみであった。彫刻は、木棺の表面の質感を損なわず、高級感が低下しないどころか、むしろ、高級感を向上させる。そこで、本願発明者は、彫刻であれば、「天然木の表面の質感を損ねることなく、木棺に納められる故人に関連する模様をその木棺に付す」ことが可能ではないかと考えた。
【００１０】
しかしながら、本願発明者は、彫刻により木棺に納められる故人に関連する模様をその木棺に付すことは不可能であるという、予想さえ困難な新規課題に直面した。すなわち、木棺は、故人の死後に必要とされ、また、納棺までに用意する必要がある。そのため、木棺の納期日は、納棺の日、通常であれば、故人が臨終した日の翌日である。故人の臨終後すぐに注文を受けたとしても、その臨終（受注）から納棺までの非常に短い期間で、彫刻により故人に関連する模様を木棺に付すことは不可能であった。この新規課題については、当然、先行技術として挙げた特許文献１（特開２００５−１０２８００号公報）にも記載されていない。
【００１１】
このように、「天然木の表面の質感を損ねることなく、木棺に納められる故人に関連する模様をその木棺に付す」ことを考えた本願発明者は、全く新規な課題に直面し、その新規な課題を解決すべく鋭意検討を重ねた結果、本発明に至った。
【００１２】
本発明の一の局面に係る木棺は、少なくとも外表面が天然木からなる木棺であって、レーザビームまたはインクを用いて外表面を直接加工することにより、当該木棺に納められる故人に関連する模様が付されている。
【００１３】
この構成によれば、故人に関連する模様が木棺の外表面に付されることにより、その木棺が購入者ごとのオリジナルな商品となるので、オリジナリティを求める購入者を満足させることができる。しかも、その模様が木棺の外表面を直接加工することにより付されているので、模様が印刷されたシートを木棺の外表面に貼着したものとは異なり、木棺の外表面を構成する天然木の表面の質感を損ねることがない。そのため、木棺が高級な天然木棺であっても、模様が付されることにより高級感が低下するおそれはない。
【００１４】
また、木棺がオリジナリティを有することにより、たとえば、複数の木棺が火葬場にほぼ同時に到着した場合に、木棺が別遺族用の炉室前に間違えて置かれるおそれをなくすことができる。
【００１５】
そして、レーザビームまたはインクを用いた加工により模様を木棺に付すのに要する時間は、彫刻により模様を木棺に付すのに要する時間よりも大幅に短い。したがって、レーザビームまたはインクを用いた加工であれば、故人の臨終後に木棺の注文を受けてから納棺までに、故人に関連する模様を付した木棺を納品することが可能となる。
【００１６】
故人に関連する模様には、故人の名（俗名、戒名）の少なくとも一部を示す文字が含まれてもよい。また、故人に関連する模様には、故人の家紋が含まれていてもよいし、故人が生前に勤務していた会社の社名を示す文字が含まれていてもよい。
【００１７】
本発明の他の局面に係る木棺の製造販売方法は、少なくとも外表面が天然木からなる木棺を販売する方法であって、インターネット上に置かれたサーバから木棺の購入者の購入者端末に対して、少なくとも模様情報を含む情報の入力を要求する要求ステップと、購入者端末から入力された情報を、サーバを経由して、木棺の販売者の販売者端末が受信する受信ステップと、販売者端末が受信した情報から模様情報を抽出して、その抽出した模様情報を含む指令を販売者端末から加工機に送信し、加工機に木棺の外表面をレーザビームまたはインクを用いて直接加工させて、当該外表面に模様情報に応じた模様を付す加工ステップとを含む。
【００１８】
この方法により、天然木の表面の質感を損ねることなく、木棺に納められる故人に関連する模様を付した木棺を作製することができる。そして、その木棺を故人の臨終後に木棺の注文を受けてから納棺までの短い期間内で納品することができる。
【００１９】
また、購入者端末に模様情報を含む情報の入力が要求され、この要求に応答して、購入者が購入者端末を操作することにより入力された情報が販売者端末に送信される。そして、販売者端末により、受信した情報から模様情報が抽出されて、その模様情報が加工機に送信される。そのため、模様情報を加工機に手作業で入力する必要がない。加工機への模様情報の入力作業が手作業でないので、手作業による入力ミスが発生しない。
【００２０】
前述したように、木棺の受注から納品までの期間が非常に短い。そのため、購入者が注文した模様情報と異なる模様情報が加工機に誤って入力され、そのミスが納品時に発覚した場合、木棺を作り直す（新たな木棺に模様を付す）ことはできない。加工機への模様情報の入力にミスが発生しないので、購入者が入力した模様情報と異なる模様情報に応じた模様が木棺に付されるおそれがない。よって、購入者の高い満足度を得ることができる。
【００２１】
要求ステップで入力が要求される情報には、木棺の配送先情報が含まれ、木棺の製造販売方法には、販売者端末が受信した情報から配送先情報を抽出して、その抽出した配送先情報を含む印刷指令をプリンタに送信し、プリンタに配送先情報に係る配送先を用紙に印刷させる印刷ステップがさらに含まれていることが好ましい。
【００２２】
この場合、販売者端末により、受信した情報から配送先情報が抽出されて、その配送先情報がプリンタに送信される。そのため、配送先情報をプリンタに手作業で入力する必要がない。プリンタへの配送先情報の入力作業が手作業でないので、手作業による入力ミスが発生しない。
【００２３】
木棺が誤った配送先に配送された場合、木棺が正しい配送先に転送されることになるが、転送に要する時間によっては、木棺の納品が納棺に間に合わない事態が生じる。プリンタへの配送先情報の入力にミスが発生しないので、正しい配送先が用紙（配送伝票）に印刷される。よって、木棺が誤った配送先に配送されるおそれをなくすことができる。
【発明の効果】
【００２４】
本発明によれば、天然木の表面の質感を損ねることなく、木棺に納められる故人に関連する模様を付した木棺を、故人の臨終後に木棺の注文を受けてから納棺までの短い期間内で納品することができる。その結果、オリジナリティを求める購入者を満足させることができる。
【図面の簡単な説明】
【００２５】
【図１】本発明の一実施形態に係る木棺の斜視図である。
【図２】木棺の製造販売システムの構成を示す図である。
【図３】商品選択画面の一例を示す図である。
【図４】メッセージ入力画面の一例を示す図である。
【図５】注文確定画面の一例を示す図である。
【図６】販売者端末で実行される処理の流れを示すフローチャートである。
【図７】レーザ加工機で実行される処理の流れを示すフローチャートである。
【発明を実施するための形態】
【００２６】
以下では、本発明の実施の形態について、添付図面を参照しつつ詳細に説明する。
【００２７】
＜木棺＞
【００２８】
図１は、本発明の一実施形態に係る木棺１の斜視図である。
【００２９】
木棺１は、天然木（たとえば、檜、桐または樅）を主材とする平棺であり、上面が開放された箱型（直方体形状）の棺本体２と、棺本体２の上面を開閉する蓋３とからなる。
【００３０】
蓋３には、棺本体２内に収容される遺体の顔を覗き見るための小窓４が設けられている。小窓４には、観音開きの２枚の扉５が設けられている。
【００３１】
なお、図１では、木棺１に付されている模様の図示が省略されている。
【００３２】
＜製造販売システム＞
【００３３】
図２は、木棺１の製造販売システム１０の構成を示す図である。
【００３４】
木棺１の製造販売システム１０は、サーバ１１、販売者端末１２およびレーザ加工機１３を含む。
【００３５】
サーバ１１は、インターネット１４に接続されている。サーバ１１は、木棺１を販売する販売者のウェブサイトの情報を保持したサーバであり、インターネットショップの運営に必要な機能および情報を有している。木棺１の販売者は、木棺１の製造者と同じであってもよいし、木棺１の製造者とは別であってもよい。
【００３６】
販売者端末１２は、たとえば、ＰＣ（Personal Computer）であり、インターネット１４に接続されている。
【００３７】
レーザ加工機１３は、レーザビームを木棺１の外表面に照射することにより、その外表面に模様を焼き入れる加工（レーザ印刷）を施すことができる。木棺１における模様が付される部位は、木棺１の外表面であれば、棺本体２の側面であってもよいし、蓋３の上面（表面）であってもよい。図２には、模様が付される対象として、蓋３が示されている。レーザ加工機１３は、販売者端末１２と通信可能に接続されている。
【００３８】
木棺１を購入する購入者は、インターネット１４に接続された購入者端末１５からインターネット１４を経由してサーバ１１（木棺１の販売者のウェブサイト）にアクセスする。このアクセスに応答して、サーバ１１から購入者端末１５にウェブページに関する情報が送信され、その情報が購入者端末１５に受信されると、購入者端末１５の表示器にウェブページ画面が表示される。購入者は、ウェブページ画面で、木棺１の購入に必要な各種情報を入力する。ウェブページ画面で入力された情報は、購入者端末１５からサーバ１１に送信される。木棺１の購入に必要な情報のすべてがサーバ１１に受信されると、木棺１の発注が完了となり、その発注があったことがサーバ１１から販売者端末１２に通知されるとともに、サーバ１１が購入者端末１５から受信した情報がサーバ１１から販売者端末１２に送信される。
【００３９】
購入者端末１５は、たとえば、ＰＣであってもよいし、タブレット端末や携帯端末であってもよい。
【００４０】
＜商品選択画面＞
【００４１】
図３は、商品選択画面２１の一例を示す図である。
【００４２】
購入者端末１５から木棺１の販売者のウェブサイトにアクセスすると、たとえば、ウェブサイトのホームページ（フロントページ）画面が購入者端末１５の表示器に表示される。ホームページ画面では、インターネットショッピングの開始を指示するボタンが表示される。このボタンがクリックされると（押されると）、ホームページ画面から商品選択画面２１に切り替わる。
【００４３】
商品選択画面２１の一例では、図３に示されるように、その左側部分に、販売されている木棺１（商品）の一覧２２が表示される。具体的には、商品を表す画像（写真）、商品番号、商品の説明（材質、形状）および価格が商品ごとに分けて表示され、それらの情報が商品選択画面の左側部分に上下に並べて表示される。
【００４４】
商品選択画面２１の右側部分には、木棺１のサイズ（Ｌ，Ｍ，Ｓ）に関するサイズ情報２３が表示される。
【００４５】
サイズ情報２３の下方には、「商品をお選びください」というメッセージ２４が表示される。このメッセージ２４の下方には、「商品番号」の文字が表示され、その文字の右側には、選択された商品番号を表す数字およびプルダウンボタン２５が表示される。プルダウンボタン２５がクリックされると、商品番号を選択するためのプルダウンメニューが表示される。購入者は、プルダウンメニューから購入したい木棺１の商品番号を選択することができる。
【００４６】
また、それらの下方には、「サイズをお選びください」というメッセージ２６が表示される。このメッセージ２６の下方には、「サイズ」の文字が表示され、その文字の右側には、選択されたサイズを表すアルファベットおよびプルダウンボタン２７が表示される。プルダウンボタン２７がクリックされると、サイズを選択するためのプルダウンメニューが表示される。購入者は、プルダウンメニューから木棺１のサイズを選択することができる。
【００４７】
そして、商品選択画面２１には、決定ボタン２８が表示される。商品番号およびサイズが選択された後、決定ボタン２８がクリックされると、商品選択画面２１で入力された各情報が購入者端末１５からサーバ１１に送信される。また、商品選択画面２１からメッセージ入力画面３１に切り替わる。
【００４８】
なお、商品選択画面２１で入力された各情報は、後述する注文確定画面４１で入力された各情報とともに送信されてもよい。
【００４９】
＜メッセージ入力画面＞
【００５０】
図４は、メッセージ入力画面３１の一例を示す図である。
【００５１】
メッセージ入力画面３１の一例では、図４に示されるように、その左側部分に、木棺１に付される模様の一例としてのメッセージのパターンの一覧３２が表示される。たとえば、一覧３２に含まれる「パターン：１」は、木棺１に納められる故人の名（俗名、戒名）の少なくとも一部および「ありがとう」のメッセージが含まれるパターンである。一覧３２に含まれる「パターン：２」は、木棺１に納められる故人の名の少なくとも一部および「安らかにお眠りください」のメッセージが含まれるパターンである。一覧３２に含まれる「パターン：３」は、最大２５文字以内の自由なメッセージ（フリーメッセージ）が含まれるパターンである。なお、メッセージ入力画面３１において、木棺１に納められる故人の名の少なくとも一部をフリーメッセージに含めることを推奨するメッセージが表示される。
【００５２】
メッセージ入力画面３１の右側部分には、「パターンをお選びください」というメッセージ３３が表示される。このメッセージ３３の下方には、「パターン」の文字が表示され、その文字の右側には、選択されたパターンを表す数字およびプルダウンボタン３４が表示される。プルダウンボタン３４がクリックされると、パターンを選択するためのプルダウンメニューが表示される。購入者は、プルダウンメニューから木棺１に付したいメッセージのパターンを選択することができる。
【００５３】
また、それらの下方には、「文字を入力してください（全角）」というメッセージ３５が表示される。このメッセージ３５の下方には、文字を入力する文字入力ボックス３６Ａ，３６Ｂが２段に設けられている。上段の文字入力ボックス３６Ａは、「パターン：１」および「パターン：２」が選択された場合に、故人の名の少なくとも一部を含む文字（たとえば、「茂三おじいちゃん」、「たかこおばあちゃん」など）が入力されるボックスである。また、上段の文字入力ボックス３６Ａには、「パターン：３」が選択され、フリーメッセージが２行に分けて木棺１に付される場合に、その１行目となる文字列が入力される。その場合の２行目となる文字列は、下段の文字入力ボックス３６Ａに入力される。
【００５４】
さらに、それらの下方には、「文字種をお選びください（全角）」というメッセージ３７が表示される。このメッセージ３７の下方には、選択された文字種（たとえば、楷書体、毛筆体）およびプルダウンボタン３８が表示される。プルダウンボタン３８がクリックされると、文字種を選択するためのプルダウンメニューが表示される。購入者は、プルダウンメニューに含まれる文字種の中から木棺１に付されるメッセージの文字種を選択することができる。
【００５５】
そして、メッセージ入力画面３１には、決定ボタン３９が表示される。パターンおよび文字種が選択され、文字入力ボックス３６Ａ，３６Ｂに購入者が所望する文字が入力された後、決定ボタン３９がクリックされると、メッセージ入力画面３１で入力された各情報が購入者端末１５からサーバ１１に送信される。また、メッセージ入力画面３１から注文確定画面４１に切り替わる。
【００５６】
なお、メッセージ入力画面３１で入力された各情報は、次に述べる注文確定画面４１で入力された各情報とともに送信されてもよい。
【００５７】
＜注文確定画面＞
【００５８】
図５は、注文確定画面４１の一例を示す図である。
【００５９】
注文確定画面４１の一例では、図５に示されるように、注文者（購入者）に関する注文者情報を入力するボックス群４２が表示される。注文者情報には、たとえば、氏名（フリガナを含む。）、住所（郵便番号を含む。）、電話番号、メールアドレスが含まれる。
【００６０】
また、ボックス群４２の下方には、木棺１の購入代金の支払方法およびプルダウンボタン４３が表示される。プルダウンボタン４３がクリックされると、支払方法を選択するためのプルダウンメニューが表示される。購入者は、プルダウンメニューに含まれる支払方法の中から木棺１の購入代金の支払方法を選択することができる。
【００６１】
さらに、それらの下方には、木棺１の配送先に関する配送先情報を入力するボックス群４４が表示される。配送先情報には、たとえば、名称、住所（郵便番号を含む。）および電話番号が含まれる。
【００６２】
そして、注文確定画面４１には、注文確定ボタン４５が表示される。注文者情報および配送先情報が入力され、支払方法が選択された後、注文確定ボタン４５がクリックされると、注文確定画面４１で入力された各情報が購入者端末１５からサーバ１１に送信される。この注文確定画面４１で入力された各情報をサーバ１１が受信したことにより、注文確定となり、サーバ１１では、木棺１の注文を受けた（受注）と判断される。
【００６３】
なお、注文者情報および配送先情報が入力され、支払方法が選択される入力選択画面と、注文確定ボタン４５が表示される画面とは、別画面で構成されてもよい。この場合、メッセージ入力画面３１で決定ボタン３９（図４参照）がクリックされると、メッセージ入力画面３１から入力選択画面に切り替わり、入力選択画面に表示される決定ボタンがクリックされると、入力選択画面から注文確定ボタン４５が表示される画面に切り替わるとよい。注文確定ボタン４５が表示される画面では、それまでに購入者が入力した内容が注文内容として表示されることが好ましい。
【００６４】
＜販売者端末＞
【００６５】
図６は、販売者端末１２で実行される処理の流れを示すフローチャートである。
【００６６】
販売者端末１２では、販売者端末１２に内蔵されているＣＰＵがプログラムを実行することにより、図６に示される処理が実行される。
【００６７】
サーバ１１により、木棺１の受注が判断されると、その受注に関する情報、つまり商品選択画面２１、メッセージ入力画面３１および注文確定画面４１で入力された各情報（以下、「受注情報」という。）がサーバ１１から販売者端末１２に送信される。
【００６８】
販売者端末１２がサーバ１１から受注情報を受信すると、販売者端末１２では、木棺１を受注したと判断される（ステップＳ１のＹＥＳ）。
【００６９】
木棺１を受注した場合、販売者端末１２では、受注情報から商品に関する商品情報が抽出される（ステップＳ２）。商品情報は、具体的には、商品選択画面２１で選択された商品番号およびサイズの情報である。
【００７０】
また、販売者端末１２では、受注情報から発送先情報が抽出される（ステップＳ３）。発送先情報は、注文確定画面４１で入力された発送先情報である。
【００７１】
そして、販売者端末１２では、商品情報に基づいて、受注した木棺１の商品番号およびサイズが表示器に表示される（ステップＳ４）。これにより、受注した木棺１の商品番号およびサイズを販売者（担当者）が確認することができる。受注した木棺１の商品番号およびサイズを確認した販売者は、その商品番号およびサイズの木棺１（たとえば、蓋３）をレーザ加工機１３にセットする。
【００７２】
販売者端末１２には、プリンタ（図示せず）が通信可能に接続されている。発送先情報が抽出されると、販売者端末１２からプリンタに、配送先情報を含む印刷指令が送信される（ステップＳ５）。この印刷指令を受けて、プリンタにより、配送先の名称、住所および電話番号が用紙（配送伝票）に印刷される。
【００７３】
また、販売者端末１２では、受注情報から木棺１に付される模様に関する模様情報が抽出される（ステップＳ６）。模様情報は、具体的には、メッセージ入力画面３１で選択されたパターンおよび文字種、ならびに文字入力ボックス３６Ａ，３６Ｂに入力された文字の情報である。
【００７４】
模様情報が抽出されると、販売者端末１２からレーザ加工機１３に、その模様情報を含む加工指令が送信される（ステップＳ７）。
【００７５】
＜レーザ加工機＞
【００７６】
図７は、レーザ加工機１３で実行される処理の流れを示すフローチャートである。
【００７７】
レーザ加工機１３では、レーザ加工機１３に内蔵されているＣＰＵがプログラムを実行することにより、図７に示される処理が実行される。
【００７８】
レーザ加工機１３が販売者端末１２から加工指令を受信すると（ステップＳ１１のＹＥＳ）、レーザ加工機１３では、木棺１がセットされているか否かが判断される（ステップＳ１２）。
【００７９】
木棺１がレーザ加工機１３にセットされていない場合（ステップＳ１２のＮＯ）、木棺１がセットされるまで待機される。
【００８０】
木棺１がレーザ加工機１３にセットされている場合（ステップＳ１２のＹＥＳ）、レーザ加工機１３では、模様情報に基づいて、木棺１の外表面へのレーザビームの照射が制御されることにより、木棺１の外表面にレーザ加工による模様が付される（ステップＳ１３）。具体的には、レーザ加工により、模様として、模様情報から特定されるパターンおよび文字種（メッセージ入力画面３１で選択されたパターンおよび文字種）にて、購入者の所望するメッセージ（文字入力ボックス３６Ａ，３６Ｂに入力された文字）が木棺１の外表面に焼き入れられる。
【００８１】
＜作用効果＞
【００８２】
木棺１の外表面に焼き入れられるメッセージ（模様）に、木棺１に納められる故人の名の一部が少なくとも含まれる場合、その木棺１が購入者ごとのオリジナルな商品となるので、オリジナリティを求める購入者を満足させることができる。しかも、その模様が木棺１の外表面を直接加工することにより付されるので、模様が印刷されたシートを木棺１の外表面に貼着した場合とは異なり、木棺１の外表面を構成する天然木の表面の質感を損ねることがない。そのため、木棺１が高級な天然木棺であっても、模様が付されることにより高級感が低下するおそれはない。
【００８３】
また、木棺１がオリジナリティを有することにより、たとえば、複数の木棺が火葬場にほぼ同時に到着した場合に、木棺１が別遺族用の炉室前に間違えて置かれるおそれをなくすことができる。
【００８４】
そして、レーザビームを用いた加工により模様を木棺１に付すのに要する時間は、彫刻により模様を木棺に付すのに要する時間よりも大幅に短い。したがって、レーザビームを用いた加工であれば、故人の臨終後に木棺１の注文を受けてから納棺までに、故人の名の一部が少なくとも含まれる模様を付した木棺１を納品することが可能である。
【００８５】
また、購入者端末１５に各種情報の入力が要求され、この要求に応答して、購入者が購入者端末を操作することにより入力された情報が販売者端末１２に送信される。そして、販売者端末１２により、受信した情報（受注情報）から模様情報が抽出されて、その模様情報がレーザ加工機１３に送信される。そのため、模様情報をレーザ加工機１３に手作業で入力する必要がない。レーザ加工機１３への模様情報の入力作業が手作業でないので、手作業による入力ミスが発生しない。
【００８６】
木棺１の受注から納品までの期間が非常に短い。そのため、購入者が注文した模様情報と異なる模様情報がレーザ加工機１３に誤って入力され、そのミスが納品時に発覚した場合、木棺１を作り直す（新たな木棺１に模様を付す）ことはできない。レーザ加工機１３への模様情報の入力にミスが発生しないので、購入者が入力した模様情報と異なる模様情報に応じた模様が木棺１に付されるおそれがない。よって、購入者の高い満足度を得ることができる。
【００８７】
また、販売者端末１２により、受注情報から配送先情報が抽出されて、その配送先情報がプリンタに送信される。そのため、配送先情報をプリンタに手作業で入力する必要がない。プリンタへの配送先情報の入力作業が手作業でないので、手作業による入力ミスが発生しない。
【００８８】
木棺１が誤った配送先に配送された場合、木棺が正しい配送先に転送されることになるが、転送に要する時間によっては、木棺の納品が納棺に間に合わない事態が生じる。プリンタへの配送先情報の入力にミスが発生しないので、正しい配送先が用紙（配送伝票）に印刷される。よって、木棺１が誤った配送先に配送されるおそれをなくすことができる。
【００８９】
＜変形例＞
【００９０】
以上、本発明の一実施形態について説明したが、本発明は、他の形態で実施することもできる。
【００９１】
たとえば、前述の実施形態では、木棺１の外表面に付される模様の一例として、木棺１に納められる故人の名の一部を含むメッセージ（文字）を取り上げた。しかしながら、木棺１の外表面に付される模様は、木棺１に納められる故人に関連する模様であれば、特に限定されない。たとえば、故人の家紋が模様として木棺１の外表面に付されてもよいし、故人が生前に勤務していた会社の社名を示す文字および／または会社ロゴなどが模様として木棺１の外表面に付されてもよい。
【００９２】
また、木棺１の外表面の直接加工として、レーザビームを用いた加工を取り上げたが、インクを用いた加工であってもよい。ただし、木棺１を燃やしたときの害を考慮すると、インクを用いた加工よりも、レーザビームを用いた加工、つまりレーザビームの照射によって外表面に模様を焼き入れる加工（レーザ印刷）であることが好ましい。
【００９３】
木棺１は、天然木（たとえば、檜、桐または樅）を主材とする平棺に限らず、少なくとも外表面が天然木で構成されていれば、合板からなる平棺であってもよい。また、木棺１は、平棺に限らず、蓋３が上側に凸湾曲した形状のアール棺であってもよいし、蓋３の周縁部に段が付けられたインロー棺であってもよいし、棺本体２および／または蓋３に彫刻などの装飾を施した装飾棺であってもよい。
【００９４】
その他、前述の構成には、特許請求の範囲に記載された事項の範囲で種々の設計変更を施すことが可能である。
【符号の説明】
【００９５】
１    木棺
１０  製造販売システム
１１  サーバ
１２  販売者端末
１３  レーザ加工機
１４  インターネット
１５  購入者端末
【図１】
2016195674.tif 000003
【図２】
2016195674.tif 000004
【図３】
2016195674.tif 000005
【図４】
2016195674.tif 000006
【図５】
2016195674.tif 000007
【図６】
2016195674.tif 000008
【図７】
2016195674.tif 000009